(57)【特許請求の範囲】
【請求項１】
信号の記録と再生とをリアルタイムで行なう特殊記録再生装置を備えるシステムに適用され、到来する信号から最高周波数となる第１の搬送波信号を抽出し、この第１の搬送波信号を当該特殊記録再生装置用に特定されたビット数の第１のパラレルデータブロック及び映像特性を示す信号を複数配列してなる第１の特定素材信号に変換する装置であって、
前記第１の搬送波信号を、互いに一定のビット数を有する複数の第２のパラレルデータブロックを直列に配列してなる第１のデジタル信号に変換する第１の信号変換手段と、
この第１の信号変換手段により変換された第１のデジタル信号を、互いに前記第２のパラレルデータブロックの整数倍のビット数を有する複数の第３のパラレルデータブロックを直列に配列してなる第２のデジタル信号に変換するビット幅変換手段と、
このビット幅変換手段で得られる第２のデジタル信号に対し、前記第３のパラレルデータブロック中の複数ビットを所定の割合で分割し、この分割した複数ビットに該複数ビットの同符号連続を回避するための特定ビットを付加することにより、前記第１の特定素材信号の第１のパラレルデータブロック列を生成する特定ビット付加手段と、
この特定ビット付加手段の出力に対し、それぞれ前記第１のパラレルデータブロック毎に前記映像特性を示す信号を付加することにより複数系統の第１の特定素材信号に変換する信号多重化手段とを具備してなることを特徴とする信号変換処理装置。
【請求項２】
前記ビット幅変換手段は、前記第１の信号変換手段で得られる第１のデジタル信号を第２のパラレルデータブロック長に相当する時間で第２のパラレルデータブロック列に時分割することにより、前記第３のパラレルデータブロックを生成する時分割手段を有し、
前記特定ビット付加手段は、前記時分割手段で時分割された前記第２のパラレルデータブロック列に対し、前記第２のパラレルデータブロック中の複数ビットを所定の割合で分割し、この分割された複数ビット毎に最上位ビットの符号を反転させたビットを付加する手段を有してなることを特徴とする請求項１記載の信号変換処理装置。
【請求項３】
前記信号多重化手段は、少なくともバ−スト信号、水平同期信号及び垂直同期信号を、前記特定ビット付加手段で得られた前記第１のパラレルデータブロック列それぞれに付加する手段を有してなることを特徴とする請求項１または２記載の信号変換処理装置。
【請求項４】
前記信号多重化手段は、前記特定ビット付加手段で得られた前記第１のパラレルデータブロック列それぞれを格納する複数のメモリ回路と、これら複数のメモリ回路それぞれに第１のパラレルデータブロックを該第１のパラレルデータブロック長周期のタイミングで順次書き込み、前記メモリ回路に書き込まれた第１のパラレルデータブロックを書き込み時の倍の速さで読み出すように前記複数のメモリ回路を制御するメモリ制御手段と、前記複数のメモリ回路に格納されるそれぞれの第１のパラレルデータブロック数をカウントするカウント手段と、このカウント手段によるカウント結果に基づいて、前記バ−スト信号、水平同期信号及び垂直同期信号を前記複数のメモリ回路から読み出された第１のパラレルデータブロックに選択的に付加する付加手段とを有してなることを特徴とする請求項１または３記載の信号変換処理装置。
【請求項５】
さらに、到来する信号から前記第１の搬送波信号に比して低周波数となる第２の搬送波信号を抽出し、この第２の搬送波信号を第４のデジタル信号に変換する第２の信号変換手段と、
この第２の信号変換手段により変換された第４のデジタル信号に対し、前記ビット幅変換手段及び前記特定ビット付加手段の処理時間に同期させて遅延処理を実行する遅延調整手段と、
この遅延調整手段の出力を、前記特殊記録再生装置の第２の特定素材信号に符号化する符号化手段とを具備してなることを特徴とする請求項１記載の信号変換処理装置。
【請求項６】
信号の記録と再生とをリアルタイムで行なう特殊記録再生装置を備えたシステムに適用され、この特殊記録再生装置から読み出され、当該特殊記録再生装置用に特定されるビット数の第１のパラレルデータブロック及び映像特性を示す信号を複数配列してなる複数系統の第１の特定素材信号を、外部出力用の最高周波数となる第１の搬送波信号に変換する装置であって、
前記複数系統の第１の特定素材信号から、前記複数の第１のパラレルデータブロック相互間に付随した前記映像特性を示す信号を除く、前記複数の第１のパラレルデータブロックのみを配列させた複数系統のデジタル信号を生成する信号分離手段と、
この信号分離手段で得られた複数系統のデジタル信号それぞれの第１のパラレルデータブロックから、複数ビットにおける同符号連続回避のための特定ビットを削除する特定ビット削除手段と、
この特定ビット削除手段で得られた複数系統のデジタル信号を、１系統のデジタル信号に合成するビット幅変換手段と、
このビット幅変換手段で得られたデジタル信号を前記第１の搬送波信号に変換する第１の搬送波信号変換手段とを具備してなることを特徴とする信号逆変換処理装置。
【請求項７】
前記信号分離手段は、前記複数系統の第１の特定素材信号から少なくともバースト信号、水平同期信号及び垂直同期信号を除いた前記複数系統のデジタル信号を生成する手段を有してなることを特徴とする請求項６記載の信号逆変換処理装置。
【請求項８】
前記信号分離手段は、前記複数系統の第１の特定素材信号それぞれを格納するための複数のメモリ回路と、前記第１の特定素材信号の前記複数の第１のパラレルデータブロックのみを前記メモリ回路にそれぞれ書き込み、前記メモリ回路から前記複数の第１のパラレルデータブロックのみを配列させたデジタル信号を読み出すように前記複数のメモリ回路を制御するメモリ制御手段とを有してなることを特徴とする請求項６記載の信号逆変換処理装置。
【請求項９】
さらに、前記特殊記録再生装置から読み出され前記第１の特定素材信号に比して低周波数となる第２の特定素材信号を、デジタル信号に復号化する復号化手段と、
この復号化手段で得られたデジタル信号に対し、前記特定ビット削除手段及びビット幅変換手段に要する処理時間に同期した遅延処理を実行する遅延調整手段と、
この遅延調整手段で遅延されたデジタル信号を、前記第１の搬送波信号に比して低周波数となる第２の搬送波信号に変換する第２の搬送波信号変換手段とを具備してなることを特徴とする請求項６記載の信号逆変換処理装置。
【発明の詳細な説明】
【０００１】
【発明の属する技術分野】
この発明は、到来する信号を、多チャンネルの信号の記録と再生とをリアルタイムで行なう特殊記録再生装置用の特定素材信号に変換する信号変換処理装置と、また、特殊記録再生装置用の特定素材信号を外部出力用の信号に変換する信号逆変換処理装置に関する。
【０００２】
【従来の技術】
周知のように、信号の記録及び再生を行なう記録再生システムに関しては、多チャンネルにおける信号の記録と再生とをリアルタイムで行ない、半導体メモリを記録媒体とした特殊記録再生装置が開発されている。そして、この特殊記録再生装置は、リアルタイムで多チャンネルの信号の記録再生を行なえることで、近時では、電波の監視を行なうシステムに使用されることが要望されている。この場合、特殊記録再生装置の映像記録再生処理により空中にある目的の信号が得られ、さらに音声記録再生処理により目的の信号の時間情報が得られることが考えられている。このため、目的の信号とその時間情報とを同時に監視することができる。
【０００３】
しかし、上記特殊記録再生装置では、例えばＲＳ１７０Ａ準拠のＮＴＳＣ信号及びパラレルＤ２信号しか扱えず、このため、到来電波から抽出した信号をそのまま取り込むことが不可能である。
【０００４】
【発明が解決しようとする課題】
以上のように、上記特殊記録再生装置では、電波監視用として使用する場合に、到来電波から抽出した信号をそのまま取り込むことができない。
【０００５】
この発明の目的は、到来する信号を、信号の記録と再生とをリアルタイムで行なう特殊記録再生装置用の特定素材信号に変換可能で、また、その逆変換可能であり、これにより到来する信号におけるリアルタイムの情報を取得可能な信号変換処理装置及び信号逆変換処理装置を提供することにある。
【０００６】
【課題を解決するための手段】
この発明に係る信号変換処理装置は、信号の記録と再生とをリアルタイムで行なう特殊記録再生装置を備えるシステムに適用され、到来する信号から最高周波数となる第１の搬送波信号を抽出し、この第１の搬送波信号を当該特殊記録再生装置用に特定されるビット数の第１のパラレルデータブロック及び映像特性を示す信号を複数配列してなる第１の特定素材信号に変換する装置であって、第１の搬送波信号を、互いに一定のビット数を有する複数の第２のパラレルデータブロックを直列に配列してなる第１のデジタル信号に変換する第１の信号変換手段と、この第１の信号変換手段により変換された第１のデジタル信号を、互いに第２のパラレルデータブロックの整数倍のビット数を有する複数の第３のパラレルデータブロックを直列に配列してなる第２のデジタル信号に変換するビット幅変換手段と、このビット幅変換手段で得られる第２のデジタル信号に対し、第３のパラレルデータブロック中の複数ビットを所定の割合で分割し、この分割した複数ビットに該複数ビットの同符号連続を回避するための特定ビットを付加することにより、第１の特定素材信号の第１のパラレルデータブロック列を生成する特定ビット付加手段と、この特定ビット付加手段の出力に対し、それぞれ第１のパラレルデータブロック毎に映像特性を示す信号を付加することにより複数系統の第１の特定素材信号に変換する信号多重化手段とを備えるようにしたものである。
【０００７】
この構成によれば、到来する信号のうちの最高周波数となる第１の搬送波信号を抽出し、この第１の搬送波信号に対し、デジタル信号変換処理を施すことで複数の第３のパラレルデータブロックを直列に配列してなる第２のデジタル信号に変換し、この第３のパラレルデータブロック中の複数ビットを所定の割合で分割し、この分割した複数ビットに該複数ビットの同符号連続を回避するための特定ビットを付加して第１の特定素材信号の第１のパラレルデータブロック列を生成した後、映像特性を示す信号を第１のパラレルデータブロック列それぞれに付加することにより、信号の記録と再生とをリアルタイムで行なう特殊記録再生装置用の第１の特定素材信号、つまりパラレルＤ２フォーマットの映像信号に擬似的に変換するようにしている。
【０００８】
この結果、上記特殊記録再生装置の映像処理を利用して、到来する信号のうちの最高周波数となる搬送波信号に含まれるリアルタイムの情報の編集を行なうことが可能となる。
【０００９】
また、この発明に係る信号変換処理装置は、到来する信号から第１の搬送波信号に比して低周波数となる第２の搬送波信号を抽出し、この第２の搬送波信号を第４のデジタル信号に変換する第２の信号変換手段と、この第２の信号変換手段により変換された第４のデジタル信号に対し、ビット幅変換手段及び特定ビット付加手段の処理時間に同期させて遅延処理を実行する遅延調整手段と、この遅延調整手段の出力を、特殊記録再生装置の第２の特定素材信号に符号化する符号化手段とを備えるようにしている。
【００１０】
この構成によれば、到来する信号のうちの第１の搬送波信号とは周波数の異なる第２の搬送波信号に対し、デジタル信号変換処理を施した後、第１の搬送波信号におけるビット幅変換処理及び同符号連続回避処理に要する処理時間に同期した遅延処理を実行して、信号の記録と再生とをリアルタイムで行なう特殊記録再生装置用の第２の特定素材信号に符号化するようにしている。
【００１１】
この結果、上記特殊記録再生装置の音声処理を利用して、到来する信号のうちの第１の搬送波信号とは周波数の異なる第２の搬送波信号に含まれるリアルタイムの情報を第１の搬送波信号と同期して編集することが可能となる。
【００１２】
この発明に係る信号逆変換処理装置は、信号の記録と再生とをリアルタイムで行なう特殊記録再生装置を備えたシステムに適用され、この特殊記録再生装置から読み出され、当該特殊記録再生装置用に特定されるビット数の第１のパラレルデータブロック及び映像特性を示す信号を複数配列してなる複数系統の第１の特定素材信号を、外部出力用の最高周波数となる第１の搬送波信号に変換する装置であって、複数系統の第１の特定素材信号から、複数の第１のパラレルデータブロック相互間に付随した映像特性を示す信号を除く、複数の第１のパラレルデータブロックのみを配列させた複数系統のデジタル信号を生成する信号分離手段と、この信号分離手段で得られた複数系統のデジタル信号それぞれの第１のパラレルデータブロックから、複数ビットにおける同符号連続回避のための特定ビットを削除する特定ビット削除手段と、この特定ビット削除手段で得られた複数系統のデジタル信号を、１系統のデジタル信号に合成するビット幅変換手段と、このビット幅変換手段で得られたデジタル信号を第１の搬送波信号に変換する第１の搬送波信号変換手段とを備えるようにしたものである。
【００１３】
この構成によれば、信号の記録と再生とをリアルタイムで行なう特殊記録再生装置から読み出された複数系統の第１の特定素材信号から、複数の第１のパラレルデータブロック相互間に付随した映像特性を示す信号を除く、複数の第１のパラレルデータブロックのみを配列させた複数系統のデジタル信号を生成し、同符号連続回避処理及びビット幅変換処理を行なった後、第１の搬送波信号に変換するようにしているので、上記特殊記録再生装置に記憶された第１の特定素材信号に含まれるリアルタイムの情報を外部装置を介して確認することが可能となる。
【００１４】
また、この発明に係る信号逆変換処理装置は、信号の記録と再生とをリアルタイムで行なう特殊記録再生装置から読み出される第２の特定素材信号を、デジタル信号に復号化する復号化手段と、この復号化手段で得られたデジタル信号に対し、特定ビット削除手段及びビット幅変換手段に要する処理時間に同期した遅延処理を実行する遅延調整手段と、この遅延調整手段で遅延されたデジタル信号を、第１の搬送波信号に比して低周波数となる第２の搬送波信号に変換する第２の搬送波信号変換手段とを備えるようにしている。
【００１５】
この構成によれば、信号の記録と再生とをリアルタイムで行なう特殊記録再生装置から読み出された第２の特定素材信号を、第１の搬送波信号処理に同期して第２の搬送波信号に変換するようにしているので、上記特殊記録再生装置に記憶された第２の特定素材信号に含まれるリアルタイムの情報を上記第１の特定素材信号とともに外部装置を介して確認することが可能となる。
【００１６】
【発明の実施の形態】
以下、この発明の実施の形態について図面を参照して詳細に説明する。
【００１７】
図１は、この発明の一実施の形態である信号変換処理装置のブロック構成を示している。
【００１８】
図１において、図中符号１１は上記信号変換処理装置となるＲＶ変換装置で、外部装置１２からの搬送波信号を、記録と再生とをリアルタイムで行なう特殊記録再生装置の特定素材信号に変換するものである。すなわち、外部装置１２から出力される使用周波数範囲のうちの最高周波数となる第１の搬送波信号は、Ａ／Ｄ（アナログ／デジタル）変換部１１１にて互いに一定のビット数を有する複数の第１パラレルデータブロックを配列したデジタル信号に変換される。このデジタル信号は、ビット幅変換部１１２にて互いに第１パラレルデータブロックの整数倍のビット数を有する複数の第２パラレルデータブロックを配列してなるデジタル信号に変換されて後、ＰＲＩＭＡＲＹビット付加部１１３にて第２パラレルデータブロック中の複数ビットが所定の割合で分割され、これら分割された複数ビット毎に複数ビットにおける同符号連続を回避するためのＰＲＩＭＡＲＹビットを付加される。そして、ＰＲＩＭＡＲＹビット付加部１１３から出力されたデジタル信号は、信号多重化部１１４にて、映像特性信号発生部１１５より発生されるバースト信号、水平同期信号、垂直同期信号を付加することにより、特殊記録再生装置用の映像素材信号、つまりパラレルＤ２信号に変換され、以後、特殊記録再生装置１３に書き込まれる。
【００１９】
また、外部装置１２から出力され第１の搬送波信号に比して低周波数となる第２の搬送波信号は、Ａ／Ｄ変換部１１６にてデジタル信号に変換された後、遅延調整部１１７にて、上記ビット幅変換部１１２及び上記ＰＲＩＭＡＲＹビット付加部１１３の処理時間に同期した遅延処理が行われる。この遅延調整部１１７から出力されるデジタル信号は、ＡＥＳ符号化部１１８にて上記特殊記録再生装置１３用の音声フォーマット（ＡＥＳ）となるＡＥＳ音声信号に符号化されて後、特殊記録再生装置１３に書き込まれる。
【００２０】
次に、上記ビット幅変換部１１２及びＰＲＩＭＡＲＹビット付加部１１３について図２に示すブロック構成図及び図３に示す信号タイミング図を参照して説明する。
【００２１】
まず、図２に示すようにＡ／Ｄ変換部１１１から出力される１ブロック当たり１０ビットのデジタル信号Ｄ１は、ＦＩＦＯ（ファーストイン・ファーストアウト）メモリ１１２ａに、他方端に入力される７．１５MHzのクロック信号のタイミングで書き込まれる。そして、ＦＩＦＯメモリ１１２ａに書き込まれたデジタル信号Ｄ１は、他方端に入力される１４．３MHzのクロック信号のタイミングで読み出され、デジタル信号Ｄ２としてラッチ回路１１２ｂ，１１２ｃにそれぞれ供給される。このうち、ラッチ回路１１２ｂは、デジタル信号Ｄ２を他方端に入力される１４．３MHzのクロック信号のタイミングで読み出した後、デジタル信号Ｄ３としてラッチ回路１１２ｄに出力する。ここで、ラッチ回路１１２ｃの出力及びラッチ回路１１２ｄの出力は、互いに１ブロック長遅延された信号となる。
【００２２】
ラッチ回路１１２ｄは、他方端に入力される７．１５MHzのクロック信号のタイミングでデジタル信号Ｄ３を読み出し、図３に示すように、それぞれ７ビットと３ビットとに分割されたデジタル信号Ｄ４としてＰＲＩＭＡＲＹビット付加部１１３を構成するＦＩＦＯメモリ１１３ａ，１１３ｂに供給する。このとき、７ビットのブロック中の最上位ビットの符号が反転回路１１３ａ１により反転されて、ＰＲＩＭＡＲＹビットとしてＦＩＦＯメモリ１１３ａに供給され、７ビットのブロックに付加される。また、３ビットのブロック中の最上位ビットの符号が反転回路１１３ｂ１により反転されて、ＰＲＩＭＡＲＹビットとしてＦＩＦＯメモリ１１３ｂに供給され、３ビットのブロックに付加される。
【００２３】
また、ラッチ回路１１２ｃは、他方端に入力される７．１５MHzのクロック信号のタイミングでデジタル信号Ｄ２を読み出し、それぞれ３ビットと７ビットとに分割されたデジタル信号Ｄ５としてＦＩＦＯメモリ１１３ｃ，１１３ｄに供給する。このとき、３ビットのブロック中の最上位ビットの符号が反転回路１１３ｃ１により反転されて、ＰＲＩＭＡＲＹビットとしてＦＩＦＯメモリ１１３ｃに供給され、３ビットのブロックに付加される。また、７ビットのブロック中の最上位ビットの符号が反転回路１１３ｄ１により反転されて、ＰＲＩＭＡＲＹビットとしてＦＩＦＯメモリ１１３ｄに供給され、７ビットのブロックに付加される。
【００２４】
そして、ＦＩＦＯメモリ１１３ａの出力は、デジタル信号Ｄ６として信号多重化部１１４に出力され、ＦＩＦＯメモリ１１３ｄの出力は、デジタル信号Ｄ８として信号多重化部１１４に出力される。また、ＦＩＦＯメモリ１１３ｂ，１１３ｃのそれぞれの出力は、加算器１１３ｅにて加算されて８ビットブロックのデジタル信号Ｄ７に生成された後、信号多重化部１１４に出力される。
【００２５】
次に、上記信号多重化部１１４及び映像特性信号発生部１１５について図４を参照して説明する。
【００２６】
図４において、信号多重化部１１４は、大別すると、ＦＩＦＯメモリ１１４ａ１〜１１４ａ３及び加算器１１４ｂ１〜１１４ｂ３により構成されている。また、映像特性信号発生部１１５は、大別すると、ライト・リード制御ＲＯＭ１１５ａ，多重化信号発生ＲＯＭ１１５ｂ，Ｖ（垂直）カウンタ１１５ｃ及びＨ（水平）カウンタ１１５ｄにより構成されている。
【００２７】
すなわち、ＰＲＩＭＡＲＹビット付加部１１３により得られたデジタル信号Ｄ６〜Ｄ８は、ライト・リード制御ＲＯＭ１１５ａから発生する７．１５MHzのクロック信号のタイミングで、ＦＩＦＯメモリ１１４ａ１〜１１４ａ３にそれぞれ書き込まれる。そして、ＦＩＦＯメモリ１１４ａ１〜１１４ａ３にそれぞれ書き込まれたデジタル信号Ｄ６〜Ｄ８は、ライト・リード制御ＲＯＭ１１５ａから発生する１４．３MHzのクロック信号のタイミングで読み出され、それぞれデジタル信号Ｄ９〜Ｄ１１として加算器１１４ｂ１〜１１４ｂ３の一方の入力端に供給される。これら加算器１１４ｂ１〜１１４ｂ３の他方の入力端には、多重化信号発生ＲＯＭ１１５ｂから選択的に発生されるバースト信号、水平同期信号、垂直同期信号が供給され、それぞれデジタル信号Ｄ９〜Ｄ１１のブロック毎に付加される。これら加算器１１４ｂ１〜１１４ｂ３の出力は、それぞれパラレルＤ２信号として特殊記録再生装置１３の映像入力側に出力される。
【００２８】
また、ライト・リード制御ＲＯＭ１１５ａは、Ｖカウンタ１１５ｃ及びＨカウンタ１１５ｄのカウント結果に基づいて、クロック信号を発生しており、多重化信号発生ＲＯＭ１１５ｂも同様にＶカウンタ１１５ｃ及びＨカウンタ１１５ｄのカウント結果に基づいて、バースト信号、水平同期信号、垂直同期信号を選択的に発生している。この場合、Ｈカウンタ１１５ｄは、デジタル信号Ｄ６〜Ｄ８の単位ブロック長周期に相当するクロック信号を発生しており、Ｖカウンタ１１５ｃは、例えば９１０個（１ライン中９１０サンプル）のブロック長周期に相当するクロック信号を発生している。このうち、多重化信号発生ＲＯＭ１１５ｂは、Ｈカウンタ１１５ｄのカウント結果に基づいて、デジタル信号のブロック毎に水平同期信号を発生するようにし、Ｖカウンタ１１５ｃのカウント結果に基づいて、垂直同期信号を発生するようにしている。
【００２９】
ここで、ＦＩＦＯメモリ１１４ａ１〜１１４ａ３を３個並列に使用していることと、また、ＦＩＦＯメモリ１１４ａ１〜１１４ａ３への書き込み速度が２ｆｓｃ（７．１５MHz）、読み出し速度が４ｆｓｃ（１４．３MHz）となっていることから、ＦＩＦＯメモリ１１４ａ１〜１１４ａ３で信号があふれることはない。
【００３０】
したがって、上記実施の形態によれば、外部装置１２から到来する信号のうちの最高周波数となる搬送波信号を抽出し、この搬送波信号に対し、Ａ／Ｄ変換部１１１にて互いに一定のビット数（１０ビット）となる複数のブロックを配列したデジタル信号に変換し、このデジタル信号Ｄ１に対して、ビット幅変換部１１２及びＰＲＩＭＡＲＹビット付加部１１３にてビット幅変換処理及び同符号連続回避処理を行なって特殊記録再生装置１３用で特定されるビット数（８ビット）のブロック列を生成した後、映像特性を示す信号をブロック毎に付加することにより、信号の記録と再生とをリアルタイムで行なう特殊記録再生装置１３用の複数系統の特定映像素材信号、つまりパラレルＤ２フォーマットの映像信号に擬似的に変換するようにしている。
【００３１】
このため、上記特殊記録再生装置１３の映像処理を利用して、外部装置１２から到来する信号のうちの最高周波数となる搬送波信号に含まれるリアルタイムの情報の編集を行なうことが可能となり、また編集したリアルタイムの情報を特殊記録再生装置１３から抽出することも可能となる。
【００３２】
また、外部装置１２から到来する信号のうちの第１の搬送波信号とに比して低周波数となる第２の搬送波信号に対し、Ａ／Ｄ変換部１１６にてデジタル信号変換処理を施した後、遅延調整部１１７にて第１の搬送波信号におけるビット幅変換部１１２及びＰＲＩＭＡＲＹビット付加部１１３に要する処理時間に同期した遅延処理を実行して、信号の記録と再生とをリアルタイムで行なう特殊記録再生装置１３用の特定音声素材信号にＡＥＳ符号化するようにしている。
【００３３】
この結果、上記特殊記録再生装置１３の音声処理を利用して、到来する信号のうち第２の搬送波信号に含まれるリアルタイムの情報を第１の搬送波信号と同期して編集することが可能となり、また編集したリアルタイムの情報を特殊記録再生装置１３から抽出することも可能となる。
【００３４】
次に、この発明の第２の実施の形態である信号逆変換処理装置のブロック構成について図５を参照して説明する。
【００３５】
図５において、図中符号２１は信号逆変換処理装置となるＶＲ変換装置で、信号の記録と再生とをリアルタイムで行なう特殊記録再生装置２２から再生され、互いに一定のビット数分のデータを同時に出力する複数のブロックを有する特定映像素材信号（パラレルＤ２信号）を、外部装置２３用の最高周波数となる第１の搬送波信号に変換するものである。
【００３６】
すなわち、特殊記録再生装置２２から出力されたパラレルＤ２信号は、信号分離部２１１にて複数のブロック相互間に付随した映像特性を示す信号を除く、複数のブロックのみを配列させた複数系統のデジタル信号に生成される。そして、信号分離部２１１で得られた複数系統のデジタル信号は、ＰＲＩＭＡＲＹビット削除部２１２にてそれぞれブロック毎に付加されている同符号連続回避のためのＰＲＩＭＡＲＹビットを削除し、ビット幅変換部２１３にて１系統のデジタル信号（１ブロック当たり１０ビット）に合成される。以後、ビット幅変換部２１３で得られるデジタル信号は、Ｄ／Ａ変換部２１４にてアナログ信号である搬送波信号に変換されて、外部装置２３に出力される。
【００３７】
また、特殊記録再生装置２２で再生されるＡＥＳ音声信号は、ＡＥＳ復号化部２１５にてデジタル信号に復号化される。このＡＥＳ復号化部２１５から出力されるデジタル信号は、遅延調整部２１６にて、上記ＰＲＩＭＡＲＹビット削除部２１２及びビット幅変換部２１３に要する処理時間に同期した遅延処理が施された後、Ｄ／Ａ変換部２１７でアナログ信号に変換されることにより、第１の搬送波信号に比して低周波数の第２の搬送波信号となり、外部装置２３に出力される。
【００３８】
次に、上記信号分離部２１１について図６を参照して説明する。
【００３９】
図６において、信号分離部２１１は、大別すると、ＦＩＦＯメモリ２１１ａ〜２１１ｃ，ライト・リード制御ＲＯＭ２１１ｄ，Ｖカウンタ２１１ｅ及びＨカウンタ２１１ｆにより構成されている。すなわち、特殊記録再生装置２２から出力される複数系統のパラレルＤ２信号は、それぞれＦＩＦＯメモリ２１１ａ〜２１１ｃに供給される。ＦＩＦＯメモリ２１１ａ〜２１１ｃは、ライト・リード制御ＲＯＭ２１１ｄから発生される７．１５MHzのクロック信号のタイミングで、パラレルＤ２信号のうちのブロック成分のみを書き込み、ライト・リード制御ＲＯＭ２１１ｄから発生される７．１５MHzのクロック信号のタイミングで、バースト信号、水平同期信号、垂直同期信号を除いたデジタル信号を読み出している。
【００４０】
また、ライト・リード制御ＲＯＭ２１１ｄは、Ｖカウンタ２１１ｅ及びＨカウンタ２１１ｆのカウント結果に基づいて、クロック信号を発生するようにしている。
【００４１】
以後、ＦＩＦＯメモリ２１１ａ〜２１１ｃにより読み出されたデジタル信号は、ＰＲＩＭＡＲＹビット削除部２１２及びビット幅変換部２１３により、上記図２及び図３に示す処理とは逆の処理が行なわれることで互いに１０ビットとなる複数のブロックを配列させた１系統のデジタル信号に合成され、Ｄ／Ａ変換部２１４にてアナログ信号に変換されることにより、外部装置２３用の第１の搬送波信号に変換される。また、ビット幅変換部２１３では、ＰＲＩＭＡＲＹビット削除部２１２で得られた複数系統のデジタル信号をそれぞれ図示しないＦＩＦＯメモリに格納しておき、これらＦＩＦＯメモリから交互に１０ビットのブロックを出力することで、１系統のデジタル信号に合成するようにしている。
【００４２】
上記信号分離部２１１の構成によれば、特殊記録再生装置２２から出力されるパラレルＤ２信号のうち、有効となるブロック成分のみをＦＩＦＯメモリ２１１ａ〜２１１ｃに書き込むようにしており、また、ＦＩＦＯメモリ２１１ａ〜２１１ｃを３個並列に使用していることにより、ＦＩＦＯメモリ２１１ａ〜２１１ｃに信号があふれることがない。
【００４３】
したがって、上記第２の実施の形態によれば、信号の記録と再生とをリアルタイムで行なう特殊記録再生装置２２から再生されたパラレルＤ２信号から、信号分離部２１１にて複数のブロック相互間に付随したバースト信号、水平同期信号、垂直同期信号等の映像特性を示す信号を除く、複数のブロックのみを配列させた複数系統のデジタル信号を生成し、ＰＲＩＭＡＲＹビット削除部２１２及びビット幅変換部２１３にて同符号連続回避削除処理及びビット幅変換処理を行なった後、Ｄ／Ａ変換部２１４にて最高周波数となる第１の搬送波信号に変換するようにしているので、上記特殊記録再生装置２２に記憶されたパラレルＤ２信号に含まれるリアルタイムの情報を外部装置２３を介して確認することが可能となる。
【００４４】
また、特殊記録再生装置から再生されたＡＥＳ音声信号を、ＡＥＳ復号化部２１５にてデジタル信号に復号化した後、遅延調整部２１６にて第１の搬送波信号処理に同期し、Ｄ／Ａ変換部２１７にて第２の搬送波信号に変換するようにしているので、上記特殊記録再生装置２２に記憶されたＡＥＳ音声信号に含まれるリアルタイムの情報を上記パラレルＤ２信号とともに外部装置を介して確認することが可能となる。
【００４５】
また、この発明では、上記ＲＶ変換装置１１及びＶＲ変換装置２１を共用化させることも可能である。この場合、例えば到来電波の高周波成分に含まれる情報をリアルタイムで特殊記録再生装置に編集すると同時に、特殊記録再生装置から情報をリアルタイムで再生し、この再生情報を外部装置にて確認することが可能となる。また、到来電波の低周波成分に含まれる情報も同様にリアルタイムで特殊記録再生装置に編集することができるとともに、特殊記録再生装置からリアルタイムで再生して確認することもできる。つまり、高周波成分の情報と低周波成分の情報とを外部装置にて同時に確認することができる。
【００４６】
さらに、到来電波の高周波成分に含まれる情報と低周波成分に含まれる情報とを１台の特殊記録再生装置にて同時に編集でき、同時に再生できるので、この特殊記録再生装置を電波監視装置に使用する場合に、装置全体の低コスト化に寄与できる。
【００４７】
なお、この発明は、上記実施の形態の範囲に必ずしも限定されるものではなく、その他この発明の要旨を逸脱しない範囲で種々変形して実施できることはもちろんのことである。
【００４８】
【発明の効果】
以上詳述したようにこの発明によれば、到来する信号を、信号の記録と再生とをリアルタイムで行なう特殊記録再生装置用の特定素材信号に変換可能で、また、その逆変換可能であり、これにより到来する信号におけるリアルタイムの情報を取得可能な信号変換処理装置及び信号逆変換処理装置を提供することができる。
【図面の簡単な説明】
【図１】  この発明に係る信号変換処理装置の一実施の形態を示すブロック構成図。
【図２】  同実施の形態におけるビット幅変換部及びＰＲＩＭＡＲＹビット付加部の具体的構成を示すブロック構成図。
【図３】  同実施の形態におけるビット幅変換部及びＰＲＩＭＡＲＹビット付加部の動作を説明するために示す信号タイミング図。
【図４】  同実施の形態における信号多重化部及び映像特性信号発生部の具体的構成を示すブロック構成図。
【図５】  この発明の第２の実施の形態である信号逆変換処理装置を示すブロック構成図。
【図６】  同第２の実施の形態における信号分離部の具体的構成を示すブロック構成図。
【符号の説明】
１１…ＲＶ変換装置、
１２，２３…外部装置、
１３，２２…特殊記録再生装置、
１１１，１１６…Ａ／Ｄ変換部、
１１２，２１３…ビット幅変換部、
１１３…ＰＲＩＭＡＲＹビット付加部、
１１４…信号多重化部、
１１５…映像特性信号発生部、
１１７，２１６…遅延調整部、
１１８…ＡＥＳ符号化部、
２１１…信号分離部、
２１２…ＰＲＩＭＡＲＹビット削除部、
２１４，２１７…Ｄ／Ａ変換部、
２１５…ＡＥＳ復号化部。
【図１】
0004109781.tif 000002
【図２】
0004109781.tif 000003
【図３】
0004109781.tif 000004
【図４】
0004109781.tif 000005
【図５】
0004109781.tif 000006
【図６】
0004109781.tif 000007